(57)【要約】【課題】挿入完了位置の基板に外力が直接作用するのを極力防止でき、しかも、基板の挿入状態が容易に確認できるコネクタを提供する。【解決手段】コネクタ１は、基板２を挿入する基板挿入口１１と、基板挿入口１１から挿入された前記基板２を挿入方向の後端面２ｂまで収容する基板収容室１２とを有するハウジング１０と、ハウジング１０に配置され、基板収容室１２に収容された基板２に電気的に接続される端子２０と、基板挿入口１１からの基板２の挿入過程では、ハウジング１０の外面より外側に突出する方向に撓み変形し、基板２が挿入方向の後端面２ｂまで基板収容室１２に収容された挿入完了位置では、撓み復帰変形する係止アーム１６とを備えている。【選択図】図１
2019212415.tif 000002
【特許請求の範囲】
【請求項１】
基板を挿入する基板挿入口と、前記基板挿入口から挿入された前記基板を挿入方向の後端面まで収容する基板収容室とを有するハウジングと、
前記ハウジングに配置され、前記基板収容室に収容された前記基板に電気的に接続される端子と、
前記基板挿入口からの前記基板の挿入過程では、前記ハウジングの外面より外側に突出する方向に撓み変形し、前記基板が挿入方向の後端面まで前記基板収容室に収容された挿入完了位置では、撓み復帰変形する係止アームとを備えたことを特徴とするコネクタ。
【請求項２】
請求項１記載のコネクタであって、
前記係止アームは、前記ハウジングに一端が支持されたアーム部と、前記アーム部の先端部に設けられ、前記基板挿入口に突出する係止爪部とを有し、
前記基板挿入口からの前記基板の挿入過程では、前記基板が前記係止爪部に当接することによって、前記アーム部が前記ハウジングの外面より外側に突出する方向に撓み変形して前記基板の挿入が許容され、前記基板が挿入完了位置まで挿入された位置では、前記アーム部が撓み復帰変形して前記ハウジングの外面と面一となって前記係止爪部が前記基板の挿入方向の後端面に係止することを特徴とするコネクタ。
【請求項３】
請求項１又は請求項２記載のコネクタであって、
前記係止アームは、前記ハウジングの互いに対向する一対の側壁の両側部で、且つ、互いに対向する４箇所に設けられたことを特徴とするコネクタ。
【発明の詳細な説明】
【技術分野】
【０００１】
本発明は、基板を装着するコネクタに関する。
【背景技術】
【０００２】
ハウジングに基板を装着するコネクタが従来より種々提案されている。図８及び図９には第１従来例が示されている（特許文献１参照）。このコネクタ５０は、基板５１と基板５１を装着するハウジング６０とを備えている。基板５１には、複数の接点部（図示せず）を有する分岐回路（図示せず）が形成されている。基板５１には、挿入方向の前端面から切り込まれた一対の嵌合溝５３が設けられている。基板５１には、係止孔５４が形成されている。
【０００３】
ハウジング６０には、基板挿入口６１と、基板挿入口６１より連続する基板収容室６２が設けられている。基板収容室６２の両側部は、基板挿入口６１側が開放されている。基板収容室６２の両側部には、開放された位置以外には嵌合側壁部６３が設けられている。ハウジング６０内には、電線Ｗ付きの複数の端子６５が収容されている。端子６５には、係止爪６６が設けられている。
【０００４】
基板５１を基板挿入口６１より挿入すると、基板５１の嵌合溝５３にハウジング６０の嵌合側壁部６３が入り込むことによって基板５１が基板収容室６２の挿入完了位置まで挿入される。挿入完了位置では、基板５１の各接点部（図示せず）と各端子６５が電気的に接続される。又、挿入完了位置では、端子６５の係止爪６６が基板５１の係止孔５４に係止され、基板５１がハウジング６０側にロックされる。
【０００５】
図１０及び図１１には第２従来例が示されている（特許文献２参照）。このコネクタ７０は、基板７１と基板７１を装着するハウジング８０とを備えている。基板７１には、複数の接点部７２ａを有する分岐回路７２が形成されている。基板７１の両側部には、可撓性係止爪７３が設けられている。
【０００６】
ハウジング８０には、基板挿入口８１と、基板挿入口８１より連続する基板収容室８２が設けられている。基板収容室８２の両側壁には、係止突起８３が設けられている。ハウジング８０内には、電線Ｗ付きの複数の端子８５が収容されている。
【０００７】
基板７１を基板挿入口８１より基板収容室８２の挿入完了位置まで挿入する。挿入完了位置では、基板７１の各接点部７２ａと各端子８５が電気的に接続される。又、挿入完了位置では、基板７１の可撓性係止爪７３がハウジング８０の係止突起８３に係止され、基板７１がハウジング８０側にロックされる。
【先行技術文献】
【特許文献】
【０００８】
【特許文献１】特開２０１７−２１６１０３号公報
【特許文献２】特開２０００−２８６０２７号公報
【発明の概要】
【発明が解決しようとする課題】
【０００９】
しかしながら、前記第１従来例では、挿入完了位置の基板５１がハウジング６０よりも外部に突出するため、基板５１に外力が直接作用し、破損等の不具合が発生する恐れが高いという問題がある。
【００１０】
前記第２従来例では、挿入完了位置の基板７１がハウジング８０内にほぼ収容されるため、基板７１に外力が直接作用する恐れが低い。しかし、基板７１の挿入完了位置の手前位置から基板７１の可撓性係止爪７３が基板収容室８２内に入り込み、基板収容室８２内で撓み変形するため、基板７１の挿入状態が確認しにくい。つまり、基板７１がハウジング８０にロックされているか否かを外部より目視で確認できないという問題がある。
【００１１】
そこで、本発明は、前記した課題を解決すべくなされたものであり、挿入完了位置の基板に外力が直接作用するのを極力防止でき、しかも、基板の挿入状態が容易に確認できるコネクタを提供することを目的とする。
【課題を解決するための手段】
【００１２】
本発明は、基板を挿入する基板挿入口と、前記基板挿入口から挿入された前記基板を挿入方向の後端面まで収容する基板収容室とを有するハウジングと、前記ハウジングに配置され、基板収容室に収容された前記基板に電気的に接続される端子と、前記基板挿入口からの前記基板の挿入過程では、前記ハウジングの外面より外側に突出する方向に撓み変形し、前記基板が挿入方向の後端面まで前記基板収容室に収容された挿入完了位置では、撓み復帰変形する係止アームとを備えたことを特徴とするコネクタである。
【発明の効果】
【００１３】
本発明によれば、挿入完了位置の基板に外力が直接作用するのを極力防止でき、しかも、基板の挿入状態が容易に確認できる。
【図面の簡単な説明】
【００１４】
【図１】本発明の一実施形態を示し、基板を挿入する前のコネクタの斜視図である。
【図２】本発明の一実施形態を示し、基板を挿入したコネクタの斜視図である。
【図３】本発明の一実施形態を示し、（ａ）はハウジングの側面図、（ｂ）は（ａ）のＡ矢視図である。
【図４】本発明の一実施形態を示し、ハウジング内に収容された複数の端子のみを示す斜視図である。
【図５】本発明の一実施形態を示し、基板を挿入途中のコネクタの側面図である。
【図６】本発明の一実施形態を示し、基板を挿入完了位置に挿入したコネクタの側面図である。
【図７】本発明の一実施形態を示し、変形例の分岐回路（３次元）が形成された基板の斜視図である。
【図８】第１従来例を示し、（ａ）は基板を挿入する前のコネクタの斜視図、（ｂ）は基板を挿入したコネクタの斜視図である。
【図９】第１従来例を示し、基板を挿入した状態のコネクタの断面図である。
【図１０】第２従来例を示し、基板を挿入する前のコネクタの斜視図である。
【図１１】第２従来例を示し、基板を挿入したコネクタの断面図である。
【発明を実施するための形態】
【００１５】
以下、本発明の実施形態を図面に基づいて説明する。
【００１６】
図１〜図７には本発明の一実施形態が示されている。コネクタ１は、プリント基板（基板）２と、プリント基板２が装着されるハウジング１０と、ハウジング１０内に収容された複数の端子２０とを備えている。
【００１７】
プリント基板２は、扁平な四角形である。プリント基板２の両面には、複数の接点部３ａを有する分岐回路３がプリント印刷によって形成されている。
【００１８】
ハウジング１０は、概略四角形である。ハウジング１０には、その一端面に開口する基板挿入口１１と、基板挿入口１１に連続し、ハウジング１０内に形成された基板収容室１２とが設けられている。基板収容室１２は、基板挿入口１１から挿入された基板２を挿入方向の後端面２ｂまで収容可能な寸法に形成されている。
【００１９】
基板挿入口１１と基板収容室１２は、４つの側壁１３，１４に囲まれて形成されている。互いに対向する一対の側壁１３で、且つ、左右両端部の４箇所には、基板挿入口１１側より切り込まれた一対のスリット１５が形成されている。互いに対向する一対の側壁１３で、且つ、左右両端部の４箇所には、一対のスリット１５によって係止アーム１６がそれぞれ設けられている。
【００２０】
係止アーム１６は、ハウジング１０の各側壁１３に片持ち支持されたアーム部１７と、このアーム部１７の先端部に設けられた係止爪部１８とを有する。各係止爪部１８は、図３に示すように、基板挿入口１１（図３（ｂ）では明確化のために仮想線で範囲を示す）に突出する。つまり、互いに対向する一対の係止爪部１８の先端は、基板挿入口１１の幅Ｄよりも近接する位置に位置する。各係止爪部１８は、基板２が挿入される面がテーパ面１８ａに、挿入された基板２の挿入方向の後端面２ｂに係止する面が垂直面１８ｂにそれぞれ形成されている。
【００２１】
ハウジング１０の一対の側壁１３には、基板収容室１２に開口するスペーサ用孔１９がそれぞれ設けられている。
【００２２】
ハウジング１０内には、基板収容室１２の両外側のスペースに、複数の端子２０が収容されている。複数の端子２０は、図４に示すように、所定の間隔を置いて並列に配置されている。図４は、ハウジング１０内に収容された複数の端子２０のみを示している。隣り合う端子２０間は、仕切壁１３ａ（図３（ａ）に示す）によって仕切られている。向かい合う仕切壁１３ａは、基板収容室１２内に収容されたプリント基板２を位置決めする機能も有する。
【００２３】
端子２０は、細長い直方体形状の端子本体２１と、端子本体２１に片持ち支持された弾性接点部２２とを有する。端子本体２１には、電線Ｗの端部が接続されている。弾性接点部２２は、端子本体２１に片持ち支持されて湾曲状に突出し、湾曲状の先端が端子本体２１にスライド自在に形成されている。弾性接点部２２は、基板収容室１２内に突出している。端子本体２１の弾性接点部２２との反対側には、係止凹部２３が設けられている。この係止凹部２３にスペーサ用孔１９から挿入されたスペーサ３０が係合されている。各端子２０は、スペーサ３０によってハウジング１０内からの脱落が阻止されている。
【００２４】
次に、基板２をハウジング１０内に装着する動作を説明する。基板２をその挿入先端面２ａを先端として基板挿入口１１に挿入する。すると、先ず、基板２の挿入先端面２ａが各係止アーム１６の係止爪部１８のテーパ面１８ａに当接する。この当接位置より基板２を更に挿入すると、図５に示すように、各アーム部１７が各側壁１３よりも外側に向かって撓み変形して各係止爪部１８が基板挿入口１１より逃げる方向に変位し、基板２の挿入が許容される。
【００２５】
基板２が基板収容室１２の奥に徐々に進入すると、各端子２０の弾性接点部２２に干渉する。この干渉位置より更に挿入すると、弾性接点部２２が湾曲状を延ばす方向に弾性変形して基板２の基板収容室１２への挿入が許容される。基板２の挿入方向の後端面２ｂが完全に基板挿入口１２よりも奥に入り込む挿入完了位置まで挿入すると、各係止アーム１６のアーム部１７が撓み復帰変形して元の状態に戻る（図６参照）。つまり、各係止アーム１６がハウジング１０の各側壁１３と面一の状態となり、各係止爪部１８が基板２の挿入方向の後端面２ｂに係止される。これによって、基板２がハウジング１０内より離脱方向への移動が阻止、つまり、ハウジング１０内にロックされる。基板２の挿入完了位置では、各基板２の弾性接点部２２の弾性復帰力を接点荷重として、基板２の各接点部３ａと、これにそれぞれ対応する端子２０の弾性接点部２２とがそれぞれ電気的に接続される。
【００２６】
以上説明したように、コネクタ１は、基板２を挿入する基板挿入口１１と、基板挿入口１１から挿入された基板２を挿入方向の後端面２ｂまで収容する基板収容室１２とを有するハウジング１０と、ハウジング１０に配置され、基板収容室１２に収容された基板２の接点部３ａに接続される端子２０と、基板挿入口１１からの基板２の挿入過程では、ハウジング１０の外面より外側に突出する方向に撓み変形し、基板２が挿入方向の後端面２ｂまで基板収容室１２に収容された挿入完了位置では、撓み復帰変形する係止アーム１６とを備えている。
【００２７】
従って、基板２の挿入完了位置では、基板２が挿入方向の後端面２ｂまで基板収容室１２に入り込むため、基板２に外力が直接作用するのを極力防止できる。基板２が挿入完了位置まで入り込まない中途挿入位置では、係止アーム１６がハウジング１０の外面より外側に突出する方向に撓み変形した状態となり、挿入完了位置では係止アーム１６が撓み復帰変形した状態となるため、基板２の挿入状態が容易に確認できる。
【００２８】
係止アーム１６は、ハウジング１０に支持されたアーム部１７と、アーム部１７の先端部に設けられ、基板挿入口１１に突出する係止爪部１８とを有し、基板挿入口１１からの基板２の挿入過程では、基板２が係止爪部１８に当接することによって、アーム部１７がハウジング１０の外面より外側に突出する方向に撓み変形して基板２の挿入が許容され、基板２が挿入完了位置まで挿入された位置では、アーム部１７が撓み復帰変形してハウジング１０の外面と面一となって係止爪部１８が基板２の挿入方向の後端面２ｂに係止する。
【００２９】
従って、係止アーム１６の状態がハウジング１０の外面との対比から更に確実に目視で判断できるため、基板２の挿入状態が更に容易に確認できる。
【００３０】
係止アーム１６は、ハウジング１０の一対の側壁１３の両側部で、且つ、互いに対向する４箇所に設けられている。従って、基板２の幅方向の変位と厚み方向のいずれの変位に対してもいずれかの係止アーム１６が基板２に係止するため、基板２を確実にロックできる。
【００３１】
図７には変形例の基板２Ａが示されている。この変形例の基板２Ａは、前記実施形態と同様に表裏面に分岐回路３Ａがプリント印刷によって形成されていると共に表裏面の分岐回路３Ａ間が連結用導体４によって連結されている。図７において、前記実施形態と同一構成箇所には、同一符号を付して説明を省略する。
【００３２】
つまり、前記実施形態の基板２には、二次元的な分岐回路３が形成され、変形例の基板２Ａには、三次元的な分岐回路３Ａが形成されている。
【符号の説明】
【００３３】
１  コネクタ
２  プリント基板（基板）
１０  ハウジング
１１  基板挿入口
１２  基板収容室
１３  側壁
１６  係止アーム
１７  アーム部
１８  係止爪部
２０  端子
２２  弾性接点部
【図１】
2019212415.tif 000003
【図２】
2019212415.tif 000004
【図３】
2019212415.tif 000005
【図４】
2019212415.tif 000006
【図５】
2019212415.tif 000007
【図６】
2019212415.tif 000008
【図７】
2019212415.tif 000009
【図８】
2019212415.tif 000010
【図９】
2019212415.tif 000011
【図１０】
2019212415.tif 000012
【図１１】
2019212415.tif 000013